(57)【要約】【課題】本体に排紙トレイを収納できるプリンタ等の画像形成装置において、引出された排紙トレイが、収納機構のガタや、排紙受面にかかる記録紙の荷重のために、下方向に傾いたり、撓んでしまうことを防止し、記録紙を落下させずに、安定して記録紙を積載する。【解決手段】２段の引出し型の排紙トレイ部３０を備えたインクジェットプリンタ１において、第１トレイ３１の上面の中央部に、排紙方向に延びる摺動リブ３３を設けた。摺動リブ３３は、第１トレイ３１が、インクジェットプリンタ１の本体から引出される終端近傍から終端までの位置において、排紙トレイ収納部１１の内面上部の一部と圧接し、排紙方向に摺動することとした。これにより、排紙トレイ部３０の傾きや撓みを抑えて記録紙の落下を防止する。【選択図】図３
2007290801.tif 000002
【特許請求の範囲】
【請求項１】
副走査方向に記録紙を搬送する記録紙搬送機構と、
インクをノズルから吐出させて前記記録紙に画像を形成するプリントヘッドが搭載され、主走査方向に往復移動されるキャリアと、
画像形成された前記記録紙が、本体から排出されて積載される排紙トレイ部と、を備え、
前記排紙トレイ部は、本体の排紙トレイ収納部に収納される第１トレイと、前記トレイ１に収納される第２トレイを有し、
前記第１トレイは、前記排紙トレイ収納部から副走査方向に引出し可能となるように、前記排紙トレイ収納部によって両側部において支持され、
前記第２トレイは、前記第１トレイと略同じ副走査方向寸法を有し、前記第１トレイから副走査方向に引出し可能となるように、前記第１トレイによって両側部において支持され、
前記第１トレイ及び前記第２トレイの各々が、前記記録紙の排出される副走査方向に引出されて、本体から排出される前記記録紙の積載部が構成されるインクジェットプリンタにおいて、
前記第１トレイの上面には、主走査方向の中央を通り副走査方向に延びる第１突起部と、前記第１突起部と十字状に交差し、前記第１突起部の両側面より主走査方向に延びる前記第１突起部よりも低背の第２突起部が形成され、
前記第１突起部は、前記第１トレイが、本体から引出される終端近傍から終端までの位置において、前記突起部１の上部が、前記排紙トレイ収納部の内面上部の一部と圧接して、副走査方向に摺動し、前記突起部１の上部が、前記排紙トレイ収納部の内面上部の一部と圧接することにより、第１トレイが、前記第１突起部を中心として主走査方向について下方に撓み、前記第２トレイを前記第１トレイから引出した状態において、前記第２トレイの上面の後端部が、前記第１トレイの両側部と下面中央部の３点で拘束され、前記第２トレイの自重及びその上に載置される記録紙の重さによる前記第１トレイ及び第２トレイの下方への撓みを規制したことを特徴とするインクジェットプリンタ。
【請求項２】
シート材を搬送するシート材搬送機構と、
シート材に画像を形成する画像形成手段と、
画像形成された前記シート材が排出されて積載される排紙トレイ部と、を備え、
前記排紙トレイ部は、装置本体の排紙トレイ収納部に収納される第１トレイと、前記第１トレイに収納される第２トレイを有し、
前記第１トレイは、前記排紙トレイ収納部から前記シート材の排紙方向に引出し可能となるように、前記排紙トレイ収納部によって両側部において支持され、
前記第２トレイは、前記第１トレイから排紙方向に引出されるように構成され、
前記第１トレイ及び前記第２トレイが、排出方向に引出されて、装置本体から排出される前記シート材の積載部が構成される画像形成装置において、
前記第１トレイは、この第１トレイの上面に、上面の中央近傍を通り、排紙方向に延びる突起部を備え、
前記突起部は、前記第１トレイの前記排紙トレイ収納部からの引出し及び収納時に、前記排紙トレイ収納部の内面上部の一部と当接し、排紙方向に摺動することを特徴とする画像形成装置。
【請求項３】
前記突起部の上部が、前記排紙トレイ収納部の内面上部の一部と当接することにより、第１トレイが、前記突起部を中心として下方に撓み、前記第２トレイを前記第１トレイから引出した状態において、前記第２トレイの後端部が、前記第１トレイの両端部と下面中央部近傍の３点で拘束され、前記第２トレイの自重及びその上に載置される記録紙の重さによる前記第１トレイ及び第２トレイの下方への撓みを規制したことを特徴とする請求項２に記載の画像形成装置。
【発明の詳細な説明】
【技術分野】
【０００１】
本発明は、印刷された記録紙等のシート材が積載される排紙トレイを有するインクジェットプリンタ等の画像形成装置に関する。
【背景技術】
【０００２】
プリンタや複写機等の画像形成装置において、印刷済みの記録紙や読取済みの原稿は、装置本体から排出され、所定の排紙トレイに載置されるようになっている。プリンタで連続して複数枚の印刷を行う際には、印刷済みの記録紙は、順次、排紙トレイ上に積載される。そして、通常、それらの記録紙は、一連の印刷が終了した後に、纏めて排紙トレイから取出される。
【０００３】
このような場合、連続印刷枚数が増加するに従って、排紙トレイに積載される記録紙の量が増え、その重さのために排紙トレイが撓んでしまい、積載された記録紙を落下させてしまうことがある。また、複数の記録紙サイズに対応するために複数の給紙トレイを有する複写機等においては、記録紙サイズ毎に必要な排紙トレイの引出し量等の調整不足や調整忘れのために、記録紙が落下したり、適切に積載されなかったりする問題もある。
【０００４】
こうした問題に対して、排出される記録紙のサイズ、枚数、重さ等の変化に対応して、記録紙を落下等させることなく排紙トレイに適正に積載するための改良が数多く成され、次のようなものが知られている。
【０００５】
例えば、特許文献１による画像形成装置においては、排紙トレイの引出し量とリブ状突起の傾斜量を連動させることにより、シート（記録紙）のサイズの変化に合わせて、排紙トレイの引出し量を調整するだけで、リブ状突起の傾斜量が同サイズのシートに適合した傾斜量となり、シートの落下やスタック不良を防止している。また、特許文献２では、排紙トレイの排紙受面の前端部に、排出された用紙の幅方向の両端部近傍等に突起部を設けて、排出された用紙を湾曲させることにより用紙の剛性を高めて、排紙受面よりも大きな用紙を落下させることなく積載するようにしている。また、特許文献３では、排紙トレイの一部を上方に折り曲げることにより、排紙された用紙束の重さによって、排紙トレイが撓んでも用紙の滑落を防止している。
【特許文献１】特開平７−１７９２５９号公報
【特許文献２】実用新案登録第３０６３９７６号公報
【特許文献３】特開平１１−１５７７２７号公報
【発明の開示】
【発明が解決しようとする課題】
【０００６】
ところで、家庭等で使用されるインクジェットプリンタ等の小型プリンタの場合、プリンタを設置するための設置床面積が限られていることが多く、プリンタを使用しないときは、嵩張る排紙トレイをプリンタ本体に収納しておき、使用するときに、排紙トレイを引出すようにして、スペースを有効に活用できるものが望まれている。また、排紙トレイは、安定して記録紙を積載するため、又は使用時の調整等の煩雑さを省くために、排紙受面が、プリンタの最大記録紙サイズをカバーできる程度のサイズであることが利便性の面で最も望ましい。
【０００７】
従って、こうした要請に応えるためには、このようなプリンタに搭載される排紙トレイは、排紙受面のサイズがプリンタの最大記録紙サイズを備え、かつ折り畳みや引出し等の収納機構を有するもの好適である。しかしながら、このような条件で構成された従来の排紙トレイは、排紙トレイの収納機構であるヒンジ部やスライド部のガタ、大きな排紙受面自身の自重や排紙受面にかかる記録紙のモーメント荷重が大きくなるため、排紙トレイの前端部が下方向に撓んでしまい、記録紙を落下させる可能性がある。
【０００８】
また、前記の特許文献に示した例によっては、このような問題を改善することは困難であった。すなわち、特許文献２のような構成により、排紙トレイが小さく、かつ簡単な構造になるが、記録紙を湾曲させて積載することにより、記録時自体に曲がり癖がついてしまうなどの問題がある。また、特許文献１、３のような、リブ状突起傾斜機構を有する排紙トレイや、折り曲げ構造の排紙トレイは、本体へコンパクトに収納するには不利な構造といえる。
【０００９】
本発明は、上記の点に鑑みてなされたもので、本体に排紙トレイを収納できるプリンタ等の画像形成装置において、引出された排紙トレイが、記録紙を載置するための十分な排紙受面を有しつつ、収納機構のガタや、排紙受面の自重、排紙受面にかかる記録紙の荷重のために、下方向に傾いたり、撓んでしまうことを防止し、記録紙を落下させず、安定して記録紙を積載することができる本体収納型の排紙トレイを有する画像形成装置を提供することを目的とする。
【課題を解決するための手段】
【００１０】
上記目的を達成するために請求項１の発明は、副走査方向に記録紙を搬送する記録紙搬送機構と、インクをノズルから吐出させて前記記録紙に画像を形成するプリントヘッドが搭載され、主走査方向に往復移動されるキャリアと、画像形成された前記記録紙が、本体から排出されて積載される排紙トレイ部と、を備え、前記排紙トレイ部は、本体の排紙トレイ収納部に収納される第１トレイと、前記トレイ１に収納される第２トレイを有し、前記第１トレイは、前記排紙トレイ収納部から副走査方向に引出し可能となるように、前記排紙トレイ収納部によって両側部において支持され、前記第２トレイは、前記第１トレイと略同じ副走査方向寸法を有し、前記第１トレイから副走査方向に引出し可能となるように、前記第１トレイによって両側部において支持され、前記第１トレイ及び前記第２トレイの各々が、前記記録紙の排出される副走査方向に引出されて、本体から排出される前記記録紙の積載部が構成されるインクジェットプリンタにおいて、前記第１トレイの上面には、主走査方向の中央を通り副走査方向に延びる第１突起部と、前記第１突起部と十字状に交差し、前記第１突起部の両側面より主走査方向に延びる前記第１突起部よりも低背の第２突起部が形成され、前記第１突起部は、前記第１トレイが、本体から引出される終端近傍から終端までの位置において、前記突起部１の上部が、前記排紙トレイ収納部の内面上部の一部と圧接して、副走査方向に摺動し、前記突起部１の上部が、前記排紙トレイ収納部の内面上部の一部と圧接することにより、第１トレイが、前記第１突起部を中心として主走査方向について下方に撓み、前記第２トレイを前記第１トレイから引出した状態において、前記第２トレイの上面の後端部が、前記第１トレイの両側部と下面中央部の３点で拘束され、前記第２トレイの自重及びその上に載置される記録紙の重さによる前記第１トレイ及び第２トレイの下方への撓みを規制することとした。
【００１１】
請求項２の発明は、シート材を搬送するシート材搬送機構と、シート材に画像を形成する画像形成手段と、画像形成された前記シート材が排出されて積載される排紙トレイ部と、を備え、前記排紙トレイ部は、装置本体の排紙トレイ収納部に収納される第１トレイと、前記第１トレイに収納される第２トレイを有し、前記第１トレイは、前記排紙トレイ収納部から前記シート材の排紙方向に引出し可能となるように、前記排紙トレイ収納部によって両側部において支持され、前記第２トレイは、前記第１トレイから排紙方向に引出されるように構成され、前記第１トレイ及び前記第２トレイが、排出方向に引出されて、装置本体から排出される前記シート材の積載部が構成される画像形成装置において、前記第１トレイは、この第１トレイの上面に、上面の中央近傍を通り、排紙方向に延びる突起部を備え、前記突起部は、前記第１トレイの前記排紙トレイ収納部からの引出し及び収納時に、前記排紙トレイ収納部の内面上部の一部と当接し、排紙方向に摺動することとした。
【００１２】
請求項３の発明は、請求項２に記載の画像形成装置において、前記突起部の上部が、前記排紙トレイ収納部の内面上部の一部と当接することにより、第１トレイが、前記突起部を中心として下方に撓み、前記第２トレイを前記第１トレイから引出した状態において、前記第２トレイの後端部が、前記第１トレイの両端部と下面中央部近傍の３点で拘束され、前記第２トレイの自重及びその上に載置される記録紙の重さによる前記第１トレイ及び第２トレイの下方への撓みを規制することとした。
【発明の効果】
【００１３】
請求項１の発明によれば、排紙トレイ部の第１トレイを引出し終端部まで引出したとき、第１トレイの上面に設けられた第１突起部が、排紙トレイ収納部の内面上部の一部と圧接される。これにより、第１トレイが、第１突起部を中心に主走査方向について弓形に撓むので、第１トレイと排紙トレイ収納部の間のガタ等が抑制されて、第１トレイは、排紙トレイ収納部にガタ無くしっかりと保持されると共に、第１トレイの曲げ剛性が高まる。そして、第１トレイが弓形に撓むことにより、第１トレイから引出された第２トレイの上面の後端部が、第１トレイの拘束によって、主走査方向について弓形に撓むので、第２トレイと第１トレイの間のガタ等が抑制されて、第２トレイは、第１トレイにガタ無くしっかりと保持されると共に、第２トレイの曲げ剛性が高まる。また、第２トレイが第１トレイと略同じ幅を有しているので、広い積載部を形成することができる。従って、引出された第１トレイ、第２トレイにより構成される記録紙の積載部は、記録紙を積載するのに十分な面積を確保しつつ、収納機構のガタ等や、第１、第２トレイの自重、記録紙による荷重によって、下方に傾斜したり、撓んだりして記録紙を落下させず、安定して積載することができる。また、引出し終端部近傍以外では、第１突起部は排紙トレイ収納部の内面上部に接触しないので、この間の引出し動作には、余分な抵抗力がかかることもない。更に、第１突起部を第１トレイ側に設けているので、可視部分への摺動部の露出を少なく抑えることができ、機器の美観を損なうこともない。
【００１４】
請求項２の発明によれば、排紙トレイ部の第１トレイを引出したとき、第１トレイの上面に設けられた突起部が、排紙トレイ収納部の内面上部の一部と当接される。これにより、第１トレイが滑らかにスライドするために引出し支持部に設けられた隙間や、部品の公差等により生じる隙間等による第１トレイと排紙トレイ収納部の間のガタ等が抑制されて、第１トレイは、排紙トレイ収納部にガタ無くしっかりと保持される。そのため、第１トレイは、収納機構のガタや、第１、第２トレイの自重、記録紙による荷重によって、下方に傾斜して記録紙等のシート材を落下させることはない。
【００１５】
請求項３の発明によれば、第１トレイ、第２トレイを引出した状態において、突起部の作用により、第１トレイは、第１突起部を中心に主走査方向について弓形に撓み、第２トレイは、第１トレイの弓形の撓みによって、上面後端部が主査方向について弓形に撓むので、第１トレイ、第２トレイ共に収納機能によるガタ等が抑えられると共に、曲げ剛性が高まる。従って、引出された第１トレイ、第２トレイにより構成される記録紙等のシート材の載置部は、収納機構のガタ等や、第１、第２トレイの自重、記録紙による荷重によって、下方に傾斜したり、撓んだりして記録紙を落下させることはない。
【発明を実施するための最良の形態】
【００１６】
以下、本発明の一実施の形態に係るインクジェットプリンタの構成について、図１乃至図５を参照して説明する。まず、インクジェットプリンタ全体の概略構成について、図１を用いて説明する。図１は、インクジェットプリンタの主要部分の構成を示す。
【００１７】
インクジェットプリンタ１（画像形成装置）は、インクを吐出するプリントヘッド３ａ（画像形成手段）を有するインクカートリッジ３が搭載されたキャリア２を、主走査方向（図に矢印Ａで示す）に往復移動させることにより、主走査方向と直交する副走査方向（図に矢印Ｂで示す）に搬送される記録紙Ｐに画像を形成するものである。インクジェットプリンタ１は、例えば外部のパーソナルコンピュータ（不図示）等と接続されており、そのパーソナルコンピュータ等から送信されるデータ及びコマンド等に基いて、記録紙Ｐ（シート材）に画像を形成する。
インクジェットプリンタ１は、シャーシ１０の上部後方に、プリントされる記録紙Ｐを保持するための給紙トレイ２０を有しており、また、シャーシ１０の前面下方に、プリントされた記録紙Ｐを排出するための排紙トレイ部３０を有している。
【００１８】
インクジェットプリンタ１のシャーシ１０の内部には、キャリア２と、キャリア２に搭載されたインクカートリッジ３と、キャリア２の背面側に主走査方向が長手方向となるように配されるシャフト４と、記録紙Ｐを搬送する記録紙搬送機構５（シート材搬送機構）と、キャリア２に駆動力を与えて往復移動させる駆動機構６と、キャリア２の主走査方向の位置を検出するために用いられてシャーシ１０に主走査方向に沿って配されるエンコーダスケール７と、インクジェットプリンタ１の種々の動作を制御するための制御回路が搭載された回路基板８とが設けられている。
【００１９】
キャリア２は、インクカートリッジ３を挿脱自在に支持するものである。本実施形態において、インクカートリッジ３は、ブラックインクが封入されたものと、例えばシアン、マゼンタ、イエローの３色等のカラーインクが封入されたものとの２つがキャリア２に搭載されている。すなわち、このインクジェットプリンタ１は、記録紙Ｐにカラー画像を形成可能に構成されているものである。なお、キャリア２に搭載されるインクカートリッジ３の構成はこれに限られるものではなく、例えばブラックインクとカラーインクが１つにまとまったものであったり、カラーインクも各色毎に別個に封入されているものであったりしてもよい。また、このインクジェットプリンタ１は、キャリア２にブラックインクが封入されたインクカートリッジ３のみが搭載されており、グレースケール等の画像を形成するようなものであってもよい。
【００２０】
キャリア２は、シャフト４に摺動自在に嵌合され、後述するように駆動機構６のベルト６ａの一部分に接続されており、シャフト４と摺動しながら主走査方向に移動可能に配置されている。キャリア２にはフォトカプラ（不図示）が搭載されており、このフォトカプラが、所定の解像度を有するエンコーダスケール７上を走査することにより、キャリア２の主走査方向の位置を検出可能となるように構成されている。
【００２１】
駆動機構６は、例えば、インクジェットプリンタ１のシャーシ１０に主走査方向に沿って配される環状のベルト６ａと、このベルト６ａを回動させるためのＤＣモータ６ｂとを有しているものである。ベルト６ａの一部分は、キャリア２の後方に接続されている。駆動機構６は、ＤＣモータ６ｂによってベルト６ａを回動させることにより、キャリア２に駆動力を与えて主走査方向に往復移動させる。なお、駆動機構６はこの構成に限られるものではない。
【００２２】
回路基板８は、シャーシ１０の背面側に保持されている。回路基板８に搭載されている制御回路は、例えば外部のパーソナルコンピュータ等で動作するデバイスドライバ等のソフトウェア等により制御されるものであり、記録紙搬送機構５、駆動機構６、及びプリントヘッド３ａ等を制御する。なお、この制御回路は、例えばインクジェットプリンタ１にユーザにより操作可能に設けられるような操作ボタン（不図示）等がユーザ等により操作されることに応じて、所定の機能を動作させるように構成されていてもよい。
【００２３】
次に、排紙トレイ部３０の構成について、図２乃至図５を参照して説明する。図２において、（ａ）は排紙トレイ部３０がインクジェットプリンタ本体に収納された状態を示し、（ｂ）は第１トレイのみが排紙方向に引出された状態を示し、（ｃ）は第１及び第２トレイが排紙方向に引出された状態を示す。図３は排紙トレイ部３０の副走査方向に直交する平面についての断面部であり、（ａ）は摺動リブの圧接前、（ｂ）は摺動リブの圧接後の各々の状態における排紙トレイ部３０の収納機構であるスライド機構の構成を示す。図４は排紙トレイ部３０の構成を示す。図５は排紙トレイ部３０の第１、２トレイの引出し時における側断面を示す。
【００２４】
図２に示されるように、排紙トレイ部３０は、２段の引出し型の収納機構を有している。排紙トレイ部３０は、インクジェットプリンタ１の本体内の排紙トレイ収納部１１に収納され、記録紙Ｐの排紙方向である副走査方向にスライド可能な第１トレイ３１と、第１トレイに収納され、副走査方向にスライド可能な第２トレイ３２とを有する。
【００２５】
排紙トレイ部３０は、印刷時はインクジェットプリンタ１に収納された状態（図２（ａ））から、順次、第１トレイ３１が排紙トレイ収納部１１から引出された状態（図２（ｂ））、第２トレイ３２が更に第１トレイ３１から引出された状態（図２（ｃ））に変化し、本体から排出された記録紙Ｐを積載する積載部としての排紙受面３０ａを形成する。なお、排紙受面３０ａは、インクジェットプリンタ１の最大印刷可能用紙サイズと同等以上のサイズとなるように構成されている（例えば最大印刷可能用紙サイズがＡ４サイズであれば、排紙受面３０ａはＡ４記録紙以上のサイズとなる）。
【００２６】
第１トレイ３１は、略四角形の盤状の外形を有し、図３に示されるように、排紙トレイ収納部１１の両側部にある側面部１１ａと対向する面の各々に副走査方向Ｂに延びる凸部や溝部で構成された一対の第１トレイスライド部３１ａを有する。また、排紙トレイ収納部１１の側面部１１ａには、副走査方向Ｂに延びる凸部や溝部で構成された一対の第１トレイガイドレール部１１ｂが設けられており、この第１トレイガイドレール部１１ｂと第１トレイスライド部３１ａとは、副走査方向Ｂに摺動可能となるように嵌合されている。
【００２７】
また、図４に示されるように、第１トレイ３１の上面の給紙トレイ２０側となる後端部３１ｂ近傍には、第１トレイ３１の上面の主走査方向Ａについての中心点を通り、副走査方向Ｂに延びた摺動リブ３３（第１突起部、突起部）と、摺動リブ３３と十字状に直角に交差し、摺動リブ３３の両側面からそれぞれ主走査方向Ａに等しい長さで設けられた補助リブ３４（第２突起部）と、補助リブ３４の両端部近傍から第１トレイ３１の上面の側端部まで延びた一対のストッパ３５とが設けられている。
【００２８】
ストッパ３５は、第１トレイ３１の引出し量を制限するためのもので、排紙トレイ収納部１１の内部上面の所定の位置に設けられた凸部等（不図示）にストッパ３５が当たるところ（引出し終端部）まで、第１トレイ３１を引出すことができる。
【００２９】
図５に示されるように、摺動リブ３３は、第１トレイ３１が排紙トレイ収納部１１から、引出されるとき、引出し終端部の少し手前から、引出し終端部にかけて、排紙トレイ収納部１１の内面上部に下方に向けて設けられた突き出し部１１ｃと圧接するようになっている。
【００３０】
第２トレイ３２は、第１トレイ３１の内側に収納されるようになっている。第２トレイ３２の副走査方向Ｂについて幅は、第１トレイ３１と略同幅であり、第１トレイ３１から第２トレイ３２を引出した状態で、第１トレイ３１と略同幅の排紙受面３０ａ（図２（ｃ）参照）が形成される。なお、第２トレイ３２の前端部３２ａは、上方に傾斜しており、排出された記録紙Ｐが滑り落ちないようになっている。また、図３に示されるように、第２トレイ３２の両側の側部は、一対の第２トレイスライド部３２ｂを構成している。そして、第２トレイ３２の両側の側部３２ｂに対向する第１トレイ３１下部の側面部３１ｄには、副走査方向Ｂに延びる凸部や溝部で構成された一対の第２トレイガイドレール部３１ｅが設けられており、この第２トレイガイドレール部３１ｅと第２トレイスライド部３２ｂとは、副走査方向Ｂに摺動可能となるように嵌合される。なお、第２トレイ３２の引出し量は、第１トレイ３１、第２トレイ３２に設けられた突起等で構成されたストッパ（不図示）により制限されている。
【００３１】
このように、排紙トレイ部３０を構成することにより、排紙トレイ部３０は、第１トレイ３１が、排紙トレイ収納部１１から引出されて（図３（ａ））、引出し終端部近傍に差し掛かったとき、摺動リブ３３の上部が、突き出し部１１ｃと圧接される。
【００３２】
摺動リブ３３の高さは、第１トレイ３１の上面と突き出し部１１ｃのなす間隔より高く設定されており、また、シャーシ１０に設けられた突き出し部１１ｃは、第１トレイ３１よりも剛性が高くなっているので、摺動リブ３３が、突き出し部１１ｃと圧接した状態では、第１トレイ３１は、排紙トレイ収納部１１によって、両端の第１トレイスライド部３１ａで拘束されているので。突き出し部１１ｃを中心に主走査方向Ａについて下方向に弓状に撓んだ状態（弓状変形）となる（図３（ｂ））。
【００３３】
また、第１トレイ３１の弓状変形に伴い、第２トレイ３２は、第１トレイ３１から引出され引出し終端部に位置する状態において、第１トレイ３１によって、第２トレイ３２の両端の第２トレイスライド部３２ｂで拘束され、かつ、第１トレイ３１の弓状に撓んだ下面中央部により下方に圧力をかけられるので、第１トレイ３１と同様に主走査方向Ａについて下方向に弓状に撓んだ状態となる。
【００３４】
従って、第１トレイ３１と排紙トレイ収納部１１、及び第２トレイ３２と第１トレイ３１が、それぞれ圧接されて、各々の間の隙間やガタ等が抑制されるので、第１トレイ３１は、排紙トレイ収納部１１に、第２トレイ３２は第１トレイ３１に対してそれぞれガタ無くしっかりと保持されると共に、弓状に湾曲することにより、第１トレイ３１、第２トレイ３２の排紙受面３０ａの下方向に対する曲げ剛性が高まる。
【００３５】
このようにして、引出された第１トレイ３１及び第２トレイ３２により構成される記録紙Ｐの排紙受面３０ａは、記録紙Ｐのサイズを十分カバーする面積を有すると共に、収納機構の隙間、ガタ等や、第１トレイ３１、第２トレイ３２の自重、積載された記録紙Ｐによる荷重によって、下方に傾斜したり、撓んだりして記録紙Ｐを落下させず、安定して積載することができる。また、引出し終端部近傍以外では、摺動リブ３３は、突き出し部１１ｃに接触しないので、この間の引出し・収納動作には、余分な抵抗力がかかることもないので、簡単に引出し及び収納を行うことができる。更に、摺動リブ３３を第１トレイ３１の後端側に設けているので、可視部分への摺動部の露出を少なく抑えることができ、機器の美観を損なうこともない。
【００３６】
なお、本発明は、上記各実施形態の構成に限られず、発明の趣旨を変更しない範囲で種々の変形が可能である。例えば、本実施形態では、インクジェットプリンタの排紙トレイ部を例示しているが、ドットインパクト方式、熱転写方式、レーザービーム方式等、その他の画像形成装置に用いても同様の効果を奏するものである。また、本実施例では、第１トレイの上面に摺動リブを設けているが、これを排紙トレイ収納部側に設けても略同様の効果を得ることができる。
【図面の簡単な説明】
【００３７】
【図１】インクジェットプリンタの主要部分の構成を示す斜視図。
【図２】（ａ）は、排紙トレイ部が同上プリンタ本体に収納された状態を示す斜視図、（ｂ）は、第１トレイが排紙方向に引出された状態を示す斜視図、（ｃ）は、第１、第２トレイが、排紙方向に引出された状態を示す斜視図。
【図３】（ａ）は、摺動リブの圧接前における排紙トレイ部のスライド機構の構成を示す断面図、（ｂ）は、摺動リブの圧接後における第１トレイが弓形に撓んだ状態を示す断面図。
【図４】排紙トレイ部の構成を示す斜視図。
【図５】排紙トレイ部の引出し時における各トレイの配置を示す側断面図。
【符号の説明】
【００３８】
１  インクジェットプリンタ（画像形成装置）
１０  シャーシ
１１  排紙トレイ収納部
１１ｂ  第１トレイガイドレール部
１１ｃ  突き出し部
２０  給紙トレイ
３０  排紙トレイ部
３０ａ  排紙受面（積載部）
３１  第１トレイ
３１ａ  第１トレイスライド部
３１ｅ  第２トレイガイドレール部
３２  第２トレイ
３２ｂ  第２トレイスライド部
３３  摺動リブ（第１突起部、突起部）
３４  補助リブ（第２突起部）
３５  ストッパ
【図１】
2007290801.tif 000003
【図２】
2007290801.tif 000004
【図４】
2007290801.tif 000005
【図５】
2007290801.tif 000006
【図３】
2007290801.tif 000007